(57)【要約】【課題】  本発明は、トイレットペーパーの先端（切り口）（以下「切り口」）がトイレットペーパー本体と付着することなく、次回使用する際、切り口を容易に掴めて引き出せるトイレットペーパーカッターを提供する。【解決手段】  可動式トイレットペーパーカッターの土台（２）の両端から１本ずつ中央部分が空くようにアーム（４）を設けることにより、切り口（９）の中央部分を掴んで上方向に引き出すだけでアーム（４）上にトイレットペーパーは移動し、切り口（９）とトイレットペーパー本体（８）との間に隙間ができて付着しない。さらに、アーム（４）が下方向に動くので、一般的なトイレットペーパーの引き出しに支障がなく、アーム（４）上にトイレットペーパーが通っている状態を保つ。また、弾性体を利用することによりアーム（４）が動いても、使用後には元の位置に戻るので、切り口（９）とトイレットペーパー本体（８）との間に変わらずに隙間ができる。【選択図】図１
2015150412.tif 000002
【特許請求の範囲】
【請求項１】
トイレットペーパーホルダーのフタに土台を装着して、この土台にスライド式のカッターを構成し、トイレットペーパーを通すアームを設置したトイレットペーパーカッター。
【請求項２】
前記アームは前記土台の両端から１本ずつ中央部分に空間ができるように構成し、この空間からトイレットペーパーをアーム上に移動させることのできる、請求項１記載のトイレットペーパーカッター。
【請求項３】
前記アームが下方向（トイレットペーパー本体に近づく方向）に動くことを特徴とする、請求項１または２記載のトイレットペーパーカッター。
【請求項４】
前記アームが請求項３記載の方向に動いた場合でも、バネ等の弾性体を利用することによって、加えられた力が無くなるとこのアームが元あった位置に戻る、請求項１〜３までのいずれかに記載のトイレットペーパーカッター。
【請求項５】
前記アームの先端形状が請求項２記載の中央空間に向かって傾斜にすることにより、このアーム上へのトイレットペーパーの移動をスムーズに行える、請求項１〜４までのいずれかに記載のトイレットペーパーカッター。
【請求項６】
既存のトイレットペーパーホルダーのフタに装着（請求項１記載）するのではなく、初めから請求項１〜５までのいずれかに記載のトイレットペーパーカッターを取り付けた、トイレットペーパーホルダー。
【請求項７】
トイレットペーパーの切断のみならず、ロール紙全般の切断に応用することのできる、請求項１〜５までのいずれかに記載のトイレットペーパーカッター。
【発明の詳細な説明】
【技術分野】
【０００１】  本発明は、トイレットペーパーの先端（切り口）を掴みやすくするためのトイレットペーパーカッターに関するものである。
【背景技術】
【０００２】  トイレットペーパーカッターにおいて、既存のトイレットペーパーホルダーのフタに装着し、トイレットペーパーを切る部分を伸縮させることにより、フタよりもトイレットペーパーの先端（切り口）が前に出るものや、トイレットペーパーの先端（切り口）を掴みやすいように、トイレットペーパーのフタに通り口を設けたトイレットペーパーホルダー、または既存のトイレットペーパーホルダーのフタに通り口を装着するものや、回動する切断刃を既存のトイレットペーパーホルダーのフタに装着するものなどは知られている。
【先行技術文献】
【特許文献】
【０００３】
【特許文献１】  特許公開２００１−１９８０４６号公報
【特許文献２】  特許公開２００６−１４１９２１号公報
【特許文献３】  特許公開２００９−０１８１３４号公報
【特許文献４】  登録実用新案第３０４８３８８号
【特許文献５】  特許公開２００４−２６１５５３号公報
【発明の概要】
【発明が解決しようとする課題】
【０００４】  しかしながら、特許文献１においてはトイレットペーパーの先端（切り口）（以下「切り口」とする）がトイレットペーパーホルダーのフタより前方に出ていても、湿気等により切り口がトイレットペーパー本体に付着してしまい、次にトイレットペーパーを使用する際に掴みにくい、またはどこに切り口があるのかがわからなくなる場合がある。
特許文献２，３及び４においては、トイレットペーパーを通り口に通すのが面倒であり、またトイレットペーパーを下方向に引いて切断するので、使用量のトイレットペーパーを引き出すのに上方向もしくは真っ直ぐの方向にしか引き出せない。
特許文献５においては切断刃が回動するのでトイレットペーパーを通すのは容易ではあるが、特許文献２，３及び４と同様に使用量のトイレットペーパーを引き出すのに上方向もしくは真っ直ぐの方向にしか引き出せない。また、切り口が切断刃を超えることはないので、切断刃から切り口が落ちる可能性が高く、落ちた場合は特許文献１と同様で切り口とトイレットペーパー本体が付着してしまう場合がある。
【課題を解決するための手段】
【０００５】  そこで本発明は、以上の課題を解決すべく、常にトイレットペーパーの先端（切り口）とトイレットペーパー本体とが付着せずに、トイレットペーパーの先端（切り口）が掴みやすいように、可動式のトイレットペーパーカッターの土台にアームを取り付け、アーム上にトイレットペーパーを通すことにより課題の解決を試みた。このアームは土台の両端から１本ずつ中央部分が空くように設けており、さらにこのアームは下方向（トイレットペーパー本体に近づく方向）に動くことを特徴とする。
【発明の効果】
【０００６】  既存のトイレットペーパーホルダーのフタに、本発明のアーム付きの土台を装着し、アーム上にトイレットペーパーを通すことにより、トイレットペーパーの先端（切り口）（以下「切り口」とする）とトイレットペーパー本体との間に隙間ができ、カッターをスライドさせてトイレットペーパーを切断すると切り口は前方に位置し、次に使用する際には容易に切り口を掴むことができる。また、切り口はアームよりも前方に位置しているので、アームから切り口が落ちる可能性は低い。【０００７】  アームを土台の両端から１本ずつ、中央部分が空くように設置することにより、切り口をアーム下にもっていき、切り口の中央部分を掴んで上方向に引き出すだけで、トイレットペーパーがこの中央部分を通ってアーム上に移動するので操作が容易である。また、切り口がトイレットペーパー本体から離れている場合は、アーム下のトイレットペーパーを摘んで上方向に引き出すとアーム上にトイレットペーパーは移動する。【０００８】  トイレットペーパーを下方向に引き出した場合でも、アームも同じように下方向（トイレットペーパー本体に近づく方向）に動くので、トイレットペーパーがアームから落ちず、アーム上にトイレットペーパーが通っている状態を保つ。また、トイレットペーパーホルダーのフタは下に引っ張られることがないので、トイレットペーパーを引き出すのに支障が出ない。【０００９】  アームが下方向に動いた場合でも、バネ等の弾性体を利用することによりアームが元の位置に戻るので、使用後（トイレットペーパー切断後）には切り口とトイレットペーパー本体との間に、アームが静止していた場合と同様の隙間ができる。
【図面の簡単な説明】
【００１０】
【図１】  本発明の使用時の概略斜視図。
【図２】  本発明の使用後の概略斜視図。
【図３】  本発明の概略斜視図。
【図４】  本発明の正面図。
【図５】  本発明のアームが下方向に動いた際の側面図。
【図６】  本発明のアーム上にトイレットペーパーを移動させる際の概略斜視図▲１▼。
【図７】  本発明のアーム上にトイレットペーパーを移動させる際の概略斜視図▲２▼。
【図８】  本発明のアーム上にトイレットペーパーを通した際の概略斜視図。
【図９】  本発明のアームがトイレットペーパーと同様に下方向に動いた際の概略斜視図。
【発明を実施するための形態】
【００１１】  以下、本発明の実施の形態について説明する。図１は本発明の使用時の概略斜視図である。既存のトイレットペーパーホルダーのフタ（７）にアーム（４）を取り付けた土台（２）を装着する。このアーム（４）上にトイレットペーパーを通すことにより、トイレットペーパー本体（８）とトイレットペーパーの先端（切り口）（９）（以下「切り口」とする）との間に隙間ができる。取っ手（６）を掴んで矢印Ａ方向に可動式カッター（１）をスライドさせ、切断位置までスライドさせたら、取っ手（６）を掴んだまま押さえると、トイレットペーパーのフタ（７）もしくはアーム保持部（５）でトイレットペーパー本体（８）の回転を止めることができるので、トイレットペーパーを刃（３）に当てながら引いて切断する（一般的なトイレットペーパーホルダーで切断する場合と要領は同じ）。
【００１２】  図２は本発明の使用後の概略斜視図である。可動式カッター（１）をスライドさせ、トイレットペーパーを切断（図１）した後、バネ等の弾性体を利用することにより、取っ手（６）を放すと可動式カッター（１）は矢印Ｂ方向に動き、元の位置に戻る（図２）。すると、切り口（９）は前方に位置し、かつトイレットペーパー本体（８）との間に隙間ができているので、付着することなく次に使用する際も、切り口（９）は掴みやすい。また、アーム（４）よりも前方に切り口（９）が位置しているので、アーム（４）からトイレットペーパーが落ちる可能性は低い。さらに、中央部分が空くようにアーム（４）を設置（図３，図４）しているので、切り口（９）の中央部分を掴めば、アーム（４）が邪魔になることはない。
【００１３】  図３は本発明の概略斜視図である。矢印Ａ方向へは、取っ手（６）を掴んで可動式カッター（１）をスライドさせることで移動できる。矢印Ｂ方向へは、バネ等の弾性体を利用することにより、可動式カッター（１）をＡ方向へスライドさせた位置から取っ手（６）を放すと、Ｂ方向（元の位置）へ可動式カッター（１）は戻る。
【００１４】  図４は本発明の正面図である。アーム（４）は土台（２）の両端から１本ずつ中央部分が空くようにアーム保持部（５）により設置している。アーム（４）の先端がそれぞれ矢印Ｃ，Ｄ方向（中央）に向かって傾斜になっており、アーム（４）上部（点線で囲んだ部分）が水平になっていると、よりスムーズにトイレットペーパーがアーム（４）上に移動し、かつアーム（４）から落ちにくくなる。なお、アーム（４）先端の形状は傾斜になっている方が好ましいが、先端が半球状になっている等トイレットペーパーが破れない形状になっていればかまわない。ただし、中央空間の幅はトイレットペーパーがアーム（４）上に移動しやすく、かつアーム（４）からトイレットペーパーが落ちにくい幅にする必要があり、２０〜５０ｍｍ（特に３５ｍｍ前後）が好ましい。
【００１５】  図５は本発明のアーム（４）が下方向に動いた際の側面図である。アーム（４）が下方向の力を受けて矢印Ｅ方向に動いた際（位置ｂ）、バネ等の弾性体を利用することによりアーム（４）に加えられた力が無くなると矢印Ｆ方向の元の位置（位置ａ）に戻る。
【００１６】  図６，図７は本発明のアーム（４）上にトイレットペーパーを移動させる際の概略斜視図▲１▼，▲２▼である。アーム（４）は土台（２）の両端から１本ずつ中央部分が空くように設置しているので、切り口（９）をアーム（４）の下にもっていき、切り口（９）の中央部分（点線で囲んだ部分）を掴んで上（矢印Ｇ方向）に引き出すと、トイレットペーパーの両端（１０ａ，１０ｂ）がそれぞれ矢印Ｈ，Ｉ方向に折れて互いに近づき（図６）、掴んだ部分だけが上にいくので、この部分を境にトイレットペーパーを折ったようになる（図７）。そのままトイレットペーパーを上に引き続けると、トイレットペーパーの両端（１０ａ，１０ｂ）がアーム（４）上に移動し、アーム（４）上にトイレットペーパーを通すことができる。また、切り口（９）がトイレットペーパー本体（８）から離れている場合は、アーム（４）の下のトイレットペーパー中央部分を摘まんで同様の操作を行うとアーム（４）上にトイレットペーパーが移動する。
【００１７】  図８は本発明のアーム（４）上にトイレットペーパーを通した際の概略斜視図である。トイレットペーパーを上（矢印Ｊ方向）もしくは真っ直ぐ（矢印Ｋ方向）に引き出した場合、アーム（４）は移動せず、そのままの位置で静止し、トイレットペーパーを切断後は切り口（９）とトイレットペーパー本体（８）との間に隙間ができる。
【００１８】  図９は本発明のアーム（４）がトイレットペーパーと同様に下方向に動いた際の概略斜視図である。トイレットペーパーを下（矢印Ｌ方向）に引き出した場合、アーム（４）もトイレットペーパーと同様に下方向（トイレットペーパー本体（８）に近づく方向）に移動するので、アーム（４）上にトイレットペーパーが通っている状態を保つ。また、トイレットペーパーを切断後は、バネ等の弾性体を利用することにより、アーム（４）は元の位置（図８）に戻り、切り口（９）とトイレットペーパー本体（８）との間にできる隙間はアーム（４）が静止している場合と変わらない。
【００１９】  以上より、トイレットペーパーをアーム（４）に通すことにより、切り口（９）がトイレットペーパー本体（８）に付着することがなく、次にトイレットペーパーを使用する際には、切り口（９）を探すことなく容易に掴むことができる。また、アーム（４）上にトイレットペーパーを移動させる操作が容易で、通常のトイレットペーパーの引き出しにも支障がない。
【００２０】  なお、使用するバネ等の弾性体は図面に示していないが、▲１▼可動式カッター（１）を元の位置に戻す▲２▼アーム（４）を元の位置に戻すという目的を達するためのものとする。
【００２１】  応用例として、既存のトイレットペーパーホルダーのフタに装着するのではなく、初めから本発明のトイレットペーパーカッターを取り付けたトイレットペーパーホルダーとしての利用や、トイレットペーパーの切断のみならず、ロール紙全般の切断手段としても利用できる。
【符号の説明】
【００２２】１．可動式カッター
２．土台
３．刃
４．アーム
５．アーム保持部
６．取っ手
７．トイレットペーパーホルダーのフタ
８．トイレットペーパー本体
９．トイレットペーパーの先端（切り口）
１０ａ，１０ｂ．トイレットペーパーの両端
ａ．通常時のアーム（４）の位置
ｂ．下方向に移動した際のアーム（４）の位置
Ａ．可動式カッター（１）を取っ手（６）を掴んでスライドさせる方向
Ｂ．バネ等の弾性体により可動式カッター（１）がスライドする方向
Ｃ，Ｄ．アーム（４）先端の傾斜方向
Ｅ．アーム（４）が動く方向
Ｆ．アーム（４）がバネ等の弾性体により動く方向
Ｇ．アーム（４）上にトイレットペーパーを通す際に引き上げる方向
Ｈ，Ｉ．トイレットペーパーの端が動く方向
Ｊ．トイレットペーパーを上に引き出した場合の方向
Ｋ．トイレットペーパーを真っ直ぐに引き出した場合の方向
Ｌ．トイレットペーパーを下に引き出した場合の方向
【図１】
2015150412.tif 000003
【図２】
2015150412.tif 000004
【図３】
2015150412.tif 000005
【図４】
2015150412.tif 000006
【図５】
2015150412.tif 000007
【図６】
2015150412.tif 000008
【図７】
2015150412.tif 000009
【図８】
2015150412.tif 000010
【図９】
2015150412.tif 000011